(57)【要約】【課題】固体光源を消灯状態から点灯状態に切り替える際に固体光源に過大な電流が流れることを抑制する。【解決手段】電源装置１は、第１出力端子１０１と第１負荷端子１３１を電気的に接続している第１電路又は第２出力端子１０２と第２負荷端子１３２を電気的に接続している第２電路を開閉するスイッチ素子Ｑ１を備えている。電源装置１は、一方の端子が第１負荷端子１３１と電気的に接続され、かつ、他方の端子が第２負荷端子１３２と電気的に接続されているコンデンサＣ１と、スイッチ素子Ｑ１をオン・オフさせる制御回路１１とを備えている。電源装置１は、スイッチ素子Ｑ１がオンからオフに切り替えられたときにコンデンサＣ１に充電された電荷を放電する放電回路１２を備えている。【選択図】        図３
2019134529.tif 000002
【特許請求の範囲】
【請求項１】
非常用電源から入力する直流入力電圧を昇圧し、前記直流出力電圧を昇圧した直流出力電圧を第１出力端子及び第２出力端子から出力する昇圧回路と、
前記第１出力端子と電気的に接続されている第１負荷端子と、
前記第２出力端子と電気的に接続されている第２負荷端子と、
前記第１出力端子と前記第１負荷端子を電気的に接続している第１電路又は前記第２出力端子と前記第２負荷端子を電気的に接続している第２電路を開閉するスイッチ素子と、
一方の端子が前記第１負荷端子と電気的に接続され、かつ、他方の端子が前記第２負荷端子と電気的に接続されているコンデンサと、
前記スイッチ素子をオン・オフさせる制御回路と、
前記スイッチ素子がオンからオフに切り替えられたときに前記コンデンサに充電された電荷を放電する放電回路と、
を備えている、
電源装置。
【請求項２】
前記放電回路は、少なくとも１つの抵抗器を有する、
請求項１記載の電源装置。
【請求項３】
前記放電回路は、少なくとも１つの半導体素子を有する、
請求項１記載の電源装置。
【請求項４】
前記放電回路は、抵抗器と、前記抵抗器と電気的に直列接続されている半導体スイッチ素子とを有し、
前記制御回路は、前記スイッチ素子をオフ状態としている期間に前記半導体スイッチ素子をオン状態とし、前記スイッチ素子をオン状態としている期間に前記半導体スイッチ素子をオフ状態とする、
請求項１記載の電源装置。
【請求項５】
請求項１〜４のいずれかの電源装置と、
前記第１負荷端子と前記第２負荷端子に電気的に接続される固体光源とを有する、
点滅装置。
【請求項６】
請求項５の点滅装置と、
前記点滅装置を収容する筐体とを有する、
非常用装置。
【発明の詳細な説明】
【技術分野】
【０００１】
本発明は、電源装置、点滅装置及び非常用装置に関し、より詳細には、電池によって固体光源を駆動する電源装置、当該電源装置と固体光源を有する点滅装置、当該点滅装置を備える非常用装置に関する。
【背景技術】
【０００２】
従来例として、特許文献１記載の非常用装置を例示する。特許文献１記載の非常用装置（以下、従来例という。）は、光源の点滅とスピーカから出力される音声によって視覚的及び聴覚的に避難誘導を行う機能を有する、いわゆる誘導音付誘導灯である。
【０００３】
従来例は、点滅用の光源（キセノンランプ）と、光源用の二次電池から給電されて光源を点滅させる点滅ブロックと、誘導音用の二次電池から給電される電力でスピーカを駆動することにより誘導音を出力させる音声ブロックとを備えている。
【０００４】
点滅ブロックは、光源用の二次電池から供給される直流電圧を昇圧する昇圧回路と、昇圧回路で昇圧された電圧で充電される放電用コンデンサと、放電用コンデンサの充電電荷を急峻に放電させるトリガ回路とを備えている。点滅ブロックは、トリガ回路によって放電用コンデンサの充電電荷を急峻にキセノンランプへ放電させることにより、キセノンランプを発光させる。
【先行技術文献】
【特許文献】
【０００５】
【特許文献１】特開２００７−６６７３８号公報
【発明の概要】
【発明が解決しようとする課題】
【０００６】
ところで、ＬＥＤ（Light Emitting Diode）のような固体光源は、点灯開始電圧以上の電圧が印加されることで電流が流れて点灯する。固体光源に印加する電圧を断続して固体光源を点滅させる場合、固体光源に印加する電圧の立ち上がりとともに固体光源が非導通状態から導通状態に切り替わる（ターンオンする）ときに過大な電流（オーバーシュート）が瞬間的に固体光源に流れることがある。したがって、キセノンランプのような放電ランプの代わりに固体光源を点滅用の光源に使用する場合、固体光源を消灯状態から点灯状態に切り替える際に固体光源に過大な電流が流れることを抑制することが望ましい。
【０００７】
本発明の目的は、固体光源を消灯状態から点灯状態に切り替える際に固体光源に過大な電流が流れることを抑制することができる電源装置、点滅装置及び非常用装置を提供することである。
【課題を解決するための手段】
【０００８】
本発明の一態様に係る電源装置は、非常用電源から入力する直流入力電圧を昇圧し、前記直流出力電圧を昇圧した直流出力電圧を第１出力端子及び第２出力端子から出力する昇圧回路を備えている。前記電源装置は、前記第１出力端子と電気的に接続されている第１負荷端子と、前記第２出力端子と電気的に接続されている第２負荷端子とを備えている。前記電源装置は、前記第１出力端子と前記第１負荷端子を電気的に接続している第１電路又は前記第２出力端子と前記第２負荷端子を電気的に接続している第２電路を開閉するスイッチ素子を備えている。前記電源装置は、一方の端子が前記第１負荷端子と電気的に接続され、かつ、他方の端子が前記第２負荷端子と電気的に接続されているコンデンサと、前記スイッチ素子をオン・オフさせる制御回路とを備えている。前記電源装置は、前記スイッチ素子がオンからオフに切り替えられたときに前記コンデンサに充電された電荷を放電する放電回路を備えている。
【０００９】
本発明の一態様に係る点滅装置は、前記電源装置と、前記第１負荷端子と前記第２負荷端子に電気的に接続される固体光源とを有する。
【００１０】
本発明の一態様に係る非常用装置は、点滅装置と、前記点滅装置を収容する筐体とを有する。
【発明の効果】
【００１１】
本発明の電源装置、点滅装置及び非常用装置は、固体光源を消灯状態から点灯状態に切り替える際に固体光源に過大な電流が流れることを抑制することができるという効果がある。
【図面の簡単な説明】
【００１２】
【図１】図１は、本発明の一態様に係る非常用装置の実施形態の斜視図である。
【図２】図２は、同上の非常用装置の分解斜視図である。
【図３】図３は、本発明の一態様に係る電源装置及び点滅装置の実施形態の回路図である。
【図４】図４Ａ〜図４Ｆは、同上の電源装置における放電回路の変形例の回路図である。
【発明を実施するための形態】
【００１３】
以下、本発明の一態様に係る電源装置、点滅装置及び非常用装置の実施形態について、図１〜図４Ｆを参照して詳細に説明する。ただし、下記の実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１４】
本実施形態の非常用装置３は、建物の避難口を表示するための誘導灯器具として実現されている。非常用装置３は、誘導灯信号装置から点滅指示信号を受けた場合に誘導効果を高めるために、点滅装置２の点滅光源５０を点滅させるように構成されている。また、非常用装置３は、誘導灯信号装置から誘導音指示信号を受けた場合に誘導効果を高めるために音響装置８から誘導音（「避難口はこちらです。」というような音声メッセージ）を出力させるように構成されている。ただし、非常用装置３において音響装置８は必須の構成要素ではなく、音響装置８を備えていなくてもよい。なお、以下の説明においては、特に断りのない限り、図１に矢印で示す向きにおいて、非常用装置３の上下、左右及び前後の各方向を規定する。
【００１５】
非常用装置３は、図１及び図２に示すように、表示ユニット４、点滅光源ユニット５、駆動装置６、第２蓄電池ブロック７、筐体３０などを有している。
【００１６】
筐体３０は、それぞれ長方形の前壁３１、後壁３２及び４つの側壁３３を有する直方体状に形成されている。ただし、本実施形態における筐体３０は、本体３００とプレート３０１で構成されている。本体３００は、前面が開放された箱形に形成されており、筐体３０の後壁３２と４つの側壁３３を構成している。上側の側壁３３には一対の穴３０３が貫通している（図２参照）。
【００１７】
プレート３０１は、四角形の平板状に形成された主部３０１０と、主部３０１０の４つの辺から後方へ立ち上がる４つの側部３０１１とを有している。プレート３０１の主部３０１０は筐体３０の前壁３１を構成している。プレート３０１の４つの側部３０１１は筐体３０の４つの側壁３３の前端部分を構成している。プレート３０１は、一対の取付ばね３０２によって着脱可能に本体３００に取り付けられる。本体３００の前面にプレート３０１が取り付けられることによって筐体３０が構成される。なお、筐体３０（本体３００及びプレート３０１）は、鋼板などの不燃物で形成されている。
【００１８】
筐体３０の内底面（後壁３２の前面）には取付台３５がねじ止めされている。取付台３５は、合成樹脂材料によって前面と下面が開放された箱形に形成されている。表示ユニット４及び駆動装置６は取付台３５に取り付けられた状態で筐体３０内に収容されている。
【００１９】
表示ユニット４は、表示板４０と、光源ブロック４１と、点灯ブロック４２と、第１蓄電池ブロック４３とを有している。
【００２０】
表示板４０は、アクリル樹脂又はポリカーボネート樹脂などの透光性を有する合成樹脂材料によって四角形の板状に形成されている。ただし、表示板４０は、前後方向の厚みを上端から下端に向かって徐々に小さくするように形成されている。表示板４０の前面には避難口を示すピクトグラムが描かれている。
【００２１】
光源ブロック４１は、１つ以上のＬＥＤと、ＬＥＤから放射される光を導光する導光部材と、ＬＥＤ及び導光部材を収容するケース４１０とを備える。ケース４１０の下面には導光部材から出射する光をケース４１０の外に放射するための開口が設けられている。光源ブロック４１は、図２に示すように、取付台３５の上部に取り付けられる。また、表示板４０は、上側面を光源ブロック４１のケース４１０の開口に対向させるようにして取付台３５に取り付けられる。
【００２２】
第１蓄電池ブロック４３は、電気絶縁性を有する合成樹脂製の電池ケースに複数の電池セルを収容して構成されている。電池セルは、ニッケル水素電池のような蓄電池である。第１蓄電池ブロック４３は、取付台３５の右端に収容されている（図２参照）。
【００２３】
点灯ブロック４２は、常用点灯回路と、第１充電回路と、非常用点灯回路と、第１制御回路とを有している。常用点灯回路は、外部電源（例えば、商用の電力系統）から供給される電力でＬＥＤを点灯させる。第１充電回路は、外部電源から供給される電力で第１蓄電池ブロック４３の電池セルを充電する。非常用点灯回路は、外部電源の電力供給が停止した場合、第１蓄電池ブロック４３から放電される電力でＬＥＤを点灯させる。第１制御回路は、外部電源の給電状況を監視し、外部電源から電力供給されているときは常用点灯回路と第１充電回路を動作させるとともに非常用点灯回路を停止させる。また、第１制御回路は、外部電源の電力供給が停止（停電）したときは常用点灯回路と第１充電回路を停止させるとともに非常用点灯回路を動作させる。
【００２４】
表示ユニット４は、筐体３０の前壁３１（プレート３０１の主部３０１０）に設けられた四角形状の窓３１０から表示板４０の前面を露出させるようにして筐体３０内に収容される。表示ユニット４は、光源ブロック４１から表示板４０の上面に光を入射させ、表示板４０全体を発光させることにより、表示板４０の前面の輝度を高めてピクトグラムの視認性を高めている。
【００２５】
点滅光源ユニット５は、ＬＥＤからなる点滅光源５０と、点滅光源５０から放射される光の配光を制御するレンズ５５と、点滅光源５０及びレンズ５５が取り付けられる取付部材とを有している。点滅光源ユニット５は、筐体３０の内底面（後壁３２の前面）における下端部分に取付部材が固定されることによって筐体３０内に収容されている（図２参照）。ただし、レンズ５５は、筐体３０の下側の側壁３３における長手方向（左右方向）の中央に設けられた挿通穴３４を通して筐体３０の外に突出する。
【００２６】
第２蓄電池ブロック７は、複数本の乾電池型の電池セルが熱収縮チューブに包まれて構成されている。各電池セルは、ニッケル水素電池のような蓄電池である。第２蓄電池ブロック７は、筐体３０内において取付台３５の左隣に収容されている（図２参照）。また、筐体３０内における第２蓄電池ブロック７の上方に、音響装置８を構成するスピーカ８１が収容されている。筐体３０の前壁３１（プレート３０１の主部３０１０）における窓３１０の左側に、スピーカ８１用の窓３１１が開口している。この窓３１１は、カバー３１２で塞がされている。ただし、カバー３１２は、カバー３１２の厚み方向に貫通する多数の穴を有している。つまり、スピーカ８１から出力される音がカバー３１２を貫通する多数の穴を通して筐体３０の外に放出される。
【００２７】
駆動装置６は、点滅光源５０を駆動する、本実施形態の電源装置１と、スピーカ８１を駆動する駆動回路（不図示）とを有する。駆動装置６は、さらに、電源装置１及び駆動回路に電力を供給するための第２蓄電池ブロック７を充電する第２充電回路を有する。
【００２８】
非常用装置３は、壁や天井Ｔ１などの造営材に取り付けられる（図１参照）。例えば、天井Ｔ１に上端部分が埋め込まれている２本のつりボルトＴ１０の各々が、非常用装置３の筐体３０の上方の側壁３３に設けられている一対の穴３０３のそれぞれに挿通され、各つりボルトＴ１０にナット（不図示）が締め付けられる。このように非常用装置３は、一対のつりボルトＴ１０に筐体３０が固定されることで天井Ｔ１に設置される。
【００２９】
続いて、本実施形態の点滅装置２及び電源装置１について、図３を参照して詳細に説明する。点滅装置２は、図３に示すように、点滅光源５０と、点滅光源５０を点灯させる電源装置１とを有している。
【００３０】
電源装置１は、第２蓄電池ブロック７の蓄電池７０から入力する直流入力電圧Ｖ１を昇圧し、直流入力電圧Ｖ１を昇圧した直流出力電圧Ｖ２を第１出力端子１０１及び第２出力端子１０２から出力する昇圧回路１０を備えている。電源装置１は、第２出力端子１０２と第２負荷端子１３２とを繋ぐ電路（第２電路）を開閉するスイッチ素子Ｑ１と、スイッチ素子Ｑ１をオン・オフさせる制御回路１１とを、更に備えている。ただし、スイッチ素子Ｑ１は、第１出力端子１０１と第１負荷端子１３１とを繋ぐ電路（第１電路）に設けられて第１電路を開閉してもかまわない。
【００３１】
昇圧回路１０は、ブーストコンバータ（昇圧チョッパ回路）であり、第２蓄電池ブロック７の蓄電池７０から入力される直流入力電圧Ｖ１を昇圧するように構成されている。昇圧回路１０は、スイッチング素子Ｑ２、チョークコイルＬ１、ダイオードＤ１、入力コンデンサＣ２、出力コンデンサＣ０、ドライブ回路１００などを有している。チョークコイルＬ１の第１端は、蓄電池７０の正極及び入力コンデンサＣ２の第１端と電気的に接続されている。スイッチング素子Ｑ２は、例えば、エンハンスメント形のＮチャネルＭＯＳＦＥＴ（metal-oxide-semiconductor field-effect transistor）からなる。スイッチング素子Ｑ２のドレインがチョークコイルＬ１の第２端及びダイオードＤ１のアノードと電気的に接続されている。スイッチング素子Ｑ２のソースが蓄電池７０の負極及び昇圧回路１０の第２出力端子１０２と電気的に接続されている。ダイオードＤ１のカソードは昇圧回路１０の第１出力端子１０１と電気的に接続されている。出力コンデンサＣ０の第１端が第１出力端子１０１と電気的に接続され、出力コンデンサＣ０の第２端が第２出力端子１０２と電気的に接続されている。ドライブ回路１００は、スイッチング素子Ｑ２のゲート・ソース間電圧をしきい値電圧以上とすることでスイッチング素子Ｑ２をオンし、ゲート・ソース間電圧をしきい値電圧未満とすることでスイッチング素子Ｑ２をオフするように構成されている。
【００３２】
電源装置１は、昇圧回路１０の第１出力端子１０１と第１電路を介して電気的に接続された第１負荷端子１３１と、昇圧回路１０の第２出力端子１０２と第２電路を介して電気的に接続された第２負荷端子１３２とを備えている。第１負荷端子１３１は、点滅光源５０のアノードと電気的に接続される。第２負荷端子１３２は、点滅光源５０のカソードと電気的に接続される。
【００３３】
スイッチ素子Ｑ１は、例えば、エンハンスメント形のＮチャネルＭＯＳＦＥＴからなる。スイッチ素子Ｑ１のドレインが第２負荷端子１３２と電気的に接続されている。スイッチ素子Ｑ１のソースが抵抗器Ｒ１を介して昇圧回路１０の第２出力端子１０２と電気的に接続されている。スイッチ素子Ｑ１は、制御回路１１によってゲート・ソース間電圧が制御されることにより、オン・オフされる。
【００３４】
電源装置１は、コンデンサＣ１及び放電回路１２を更に備えている。コンデンサＣ１の第１端が第１負荷端子１３１と電気的に接続され、コンデンサＣ１の第２端が第２負荷端子１３２と電気的に接続されている。放電回路１２は、抵抗器１２０を有している。抵抗器１２０の第１端が第１負荷端子１３１と電気的に接続されている。抵抗器１２０の第２端が第２負荷端子１３２と電気的に接続されている。
【００３５】
制御回路１１は、例えば、マイクロコントローラで構成されている。制御回路１１は、信号線（不図示）を介して誘導灯信号装置から点滅指示信号を受信したとき、ドライブ回路１００に制御信号Ｓ１を出力する。ドライブ回路１００は、制御信号Ｓ１を受け取ると、スイッチング素子Ｑ２をスイッチングして昇圧回路１０に昇圧動作を行わせる。制御回路１１は、制御信号Ｓ１を出力した後、スイッチ素子Ｑ１をオンして点滅光源５０を点灯させる。ただし、制御回路１１は、誘導効果を高めるために点滅光源５０を間欠駆動する。例えば、制御回路１１は、約５００ｍｓごとに約５０ｍｓの期間だけスイッチ素子Ｑ１をオンして点滅光源５０を点滅させる。
【００３６】
ここで、スイッチ素子Ｑ１がオフ状態からオン状態に切り替わる際、第１負荷端子１３１から第２負荷端子１３２にパルス状の電流が流れる。すなわち、ＬＥＤからなる点滅光源５０に印加する電圧（昇圧回路１０の直流出力電圧Ｖ２）の立ち上がりとともに点滅光源５０が非導通状態から導通状態に切り替わるときに過大な電流が瞬間的（パルス的）に流れることがある。
【００３７】
しかしながら、本実施形態の電源装置１では、点滅光源５０と並列にコンデンサＣ１が接続されている。そのため、スイッチ素子Ｑ１がオフ状態からオン状態に切り替わった直後には、コンデンサＣ１に充電電流が流れるために点滅光源５０に流れる電流が抑制される。そして、コンデンサＣ１が充電された後、点滅光源５０に電流が流れて点滅光源５０が点灯する。なお、コンデンサＣ１の両端電圧は、コンデンサＣ１の充電電流による抵抗器Ｒ１の電圧降下を直流出力電圧Ｖ２から差し引いた電圧とほぼ等しくなる。ゆえに、電源装置１は、点滅光源５０に印加する直流出力電圧Ｖ２の立ち上がりとともに点滅光源５０が非導通状態から導通状態に切り替わるときに流れる過大な電流を抑制することができる。
【００３８】
制御回路１１は、スイッチ素子Ｑ１をオフ状態からオン状態に切り替えて一定時間（例えば、５０ｍｓ）が経過したら、スイッチ素子Ｑ１をオン状態からオフ状態に切り替える。スイッチ素子Ｑ１がオフ状態になると、コンデンサＣ１の充電電荷が放電回路１２によって放電される。そして、制御回路１１は、スイッチ素子Ｑ１をオフ状態としてから一定時間（例えば、４５０ｍｓ）が経過したらスイッチ素子Ｑ１をオフ状態からオン状態に切り替える。このとき、コンデンサＣ１の充電電荷が放電回路１２によって放電されているので、コンデンサＣ１に充電電流が流れるために点滅光源５０に流れる電流が抑制される。放電回路１２がコンデンサＣ１と電気的に並列接続されていない場合、コンデンサＣ１に電荷がたまった状態でスイッチ素子Ｑ１がオフ状態からオン状態に切り替わることになる。その結果、コンデンサＣ１に充電電流が流れる期間が短くなるので、点滅光源５０に流れる電流を抑制しにくくなってしまう。
【００３９】
これに対して本実施形態の電源装置１は、コンデンサＣ１と電気的に並列接続された放電回路１２を有しているので、スイッチ素子Ｑ１がオン状態からオフ状態に切り替えられるごとにコンデンサＣ１の充電電荷を放電回路１２によって放電させることができる。その結果、本実施形態の電源装置１は、点滅光源５０を消灯状態から点灯状態に切り替える際に点滅光源５０に過大な電流が流れることを抑制することができる。
【００４０】
本実施形態では、放電回路１２は、一つの抵抗器１２０で構成されているが、複数の抵抗器で構成されていてもよい。また、放電回路１２は、抵抗器１２０と、抵抗器１２０に電気的に直列接続される半導体スイッチ素子とを備えてもよい。半導体スイッチ素子は、例えば、図４Ａに示すようにＮＰＮ型のバイポーラトランジスタ１２１でもよいし、図４Ｂに示すようにエンハンスメント形のＮチャネルＭＯＳＦＥＴ１２２でもよい。あるいは、半導体スイッチ素子は、図４Ｃに示すように、フォトカプラ１２３を構成するフォトトランジスタ１２３１でもよい。これらの半導体スイッチ素子は、制御回路１１によってオン・オフされる。制御回路１１は、スイッチ素子Ｑ１をオフ状態としている期間に半導体スイッチ素子をオン状態とし、スイッチ素子Ｑ１をオン状態としている期間に半導体スイッチ素子をオフ状態とする。つまり、スイッチ素子Ｑ１がオン状態のときに放電回路１２に電流を流さないことにより、放電回路１２（抵抗器１２０）における無駄な電力消費を抑えることができる。なお、フォトカプラ１２３は、制御回路１１がフォトカプラ１２３の発光素子（ＬＥＤ）１２３０を発光させることによってフォトトランジスタ１２３１をオンさせる。
【００４１】
また、放電回路１２は、抵抗器以外の１以上の半導体素子で構成されてもよい。半導体素子は、例えば、図４Ｄに示すようにＮＰＮ型のバイポーラトランジスタ１２１でもよいし、図４Ｅに示すようにエンハンスメント形のＮチャネルＭＯＳＦＥＴ１２２でもよい。あるいは、半導体素子は、図４Ｆに示すように、フォトカプラ１２３を構成するフォトトランジスタ１２３１でもよい。これらの半導体素子は、制御回路１１によって導通状態と非導通状態に切り替えられる。制御回路１１は、スイッチ素子Ｑ１をオフ状態としている期間に半導体素子を導通状態とし、スイッチ素子Ｑ１をオン状態としている期間に半導体素子を非導通状態とする。つまり、スイッチ素子Ｑ１がオン状態のときに放電回路１２に電流を流さないことにより、放電回路１２（半導体素子）における無駄な電力消費を抑えることができる。なお、フォトカプラ１２３は、制御回路１１がフォトカプラ１２３の発光素子（ＬＥＤ）１２３０を発光させることによってフォトトランジスタ１２３１を導通させる。
【００４２】
上述のように本発明の第１の態様に係る電源装置（１）は、昇圧回路（１０）を備えている。昇圧回路（１０）は、非常用電源（蓄電池７０）から入力する直流入力電圧（Ｖ１）を昇圧し、直流入力電圧（Ｖ１）を昇圧した直流出力電圧（Ｖ２）を第１出力端子（１０１）及び第２出力端子（１０２）から出力する。電源装置（１）は、第１出力端子（１０１）と電気的に接続されている第１負荷端子（１３１）と、第２出力端子（１０２）と電気的に接続されている第２負荷端子（１３２）とを備えている。電源装置（１）は、第１出力端子（１０１）と第１負荷端子（１３１）を電気的に接続している第１電路又は第２出力端子（１０２）と第２負荷端子（１３２）を電気的に接続している第２電路を開閉するスイッチ素子（Ｑ１）を備えている。電源装置（１）は、一方の端子が第１負荷端子（１３１）と電気的に接続され、かつ、他方の端子が第２負荷端子（１３２）と電気的に接続されているコンデンサ（Ｃ１）と、スイッチ素子（Ｑ１）をオン・オフさせる制御回路（１１）とを備えている。電源装置（１）は、スイッチ素子（Ｑ１）がオンからオフに切り替えられたときにコンデンサ（Ｃ１）に充電された電荷を放電する放電回路（１２）を備えている。
【００４３】
第１の態様に係る電源装置（１）は、スイッチ素子（Ｑ１）がオフ状態からオン状態に切り替わった直後には、コンデンサ（Ｃ１）に充電電流が流れるために固体光源（点滅光源５０）に流れる電流を抑制することができる。さらに、第１の態様に係る電源装置（１）は、制御回路（１１）によってスイッチ素子（Ｑ１）がオンからオフに切り替えられるごとにコンデンサ（Ｃ１）の充電電荷を放電回路（１２）によって放電させることができる。その結果、第１の態様に係る電源装置（１）は、固体光源（点滅光源５０）を消灯状態から点灯状態に切り替える際に固体光源（点滅光源５０）に過大な電流が流れることを抑制することができる。
【００４４】
本発明の第２の態様に係る電源装置（１）は、第１の態様との組合せにより実現され得る。第２の態様に係る電源装置（１）において、放電回路（１２）は、少なくとも１つの抵抗器（１２０）を有することが好ましい。
【００４５】
第２の態様に係る電源装置（１）は、簡単な構成で放電回路（１２）を構成することができる。
【００４６】
本発明の第３の態様に係る電源装置（１）は、第１の態様との組合せにより実現され得る。第３の態様に係る電源装置（１）において、放電回路（１２）は、少なくとも１つの半導体素子（１２１；１２２；１２３１）を有することが好ましい。
【００４７】
第３の態様に係る電源装置（１）は、簡単な構成で放電回路（１２）を構成することができる。
【００４８】
本発明の第４の態様に係る電源装置（１）は、第１の態様との組合せにより実現され得る。第４の態様に係る電源装置（１）において、放電回路（１２）は、抵抗器（１２０）と、抵抗器（１２０）と電気的に直列接続されている半導体スイッチ素子（１２１；１２２；１２３１）とを有することが好ましい。制御回路（１１）は、スイッチ素子（Ｑ１）をオフ状態としている期間に半導体スイッチ素子（１２１；１２２；１２３１）をオン状態とし、スイッチ素子（Ｑ１）をオン状態としている期間に半導体スイッチ素子（１２１；１２２；１２３１）をオフ状態とすることが好ましい。
【００４９】
第４の態様に係る電源装置（１）は、コンデンサ（Ｃ１）の充電電荷の放電時以外は半導体スイッチ素子（１２１；１２２；１２３１）をオフすることにより、放電回路（１２）における無駄な電力消費を抑えることができる。
【００５０】
本発明の第５の態様に係る点滅装置（２）は、第１〜第４の態様のいずれかの電源装置（１）と、第１負荷端子（１３１）と第２負荷端子（１３２）に電気的に接続される固体光源（点滅光源５０）とを有する。
【００５１】
第５の態様に係る点滅装置（２）は、固体光源（点滅光源５０）を消灯状態から点灯状態に切り替える際に固体光源（点滅光源５０）に過大な電流が流れることを抑制することができる。
【００５２】
本発明の第６の態様に係る非常用装置（３）は、第５の態様に係る点滅装置（２）と、点滅装置（２）を収容する筐体（３０）とを有する。
【００５３】
第６の態様に係る非常用装置（３）は、固体光源（点滅光源５０）を消灯状態から点灯状態に切り替える際に固体光源（点滅光源５０）に過大な電流が流れることを抑制することができる。
【符号の説明】
【００５４】
１  電源装置
２  点滅装置
３  非常用装置
１０  昇圧回路
１１  制御回路
１２  放電回路
３０  筐体
５０  点滅光源（固体光源）
７０  蓄電池（非常用電源）
１０１  第１出力端子
１０２  第２出力端子
１２０  抵抗器
１２１  バイポーラトランジスタ（半導体素子；半導体スイッチ素子）
１２２  ＭＯＳＦＥＴ（半導体素子；半導体スイッチ素子）
１２３１  フォトトランジスタ（半導体素子；半導体スイッチ素子）
１３１  第１負荷端子
１３２  第２負荷端子
Ｑ１  スイッチ素子
Ｃ１  コンデンサ
Ｖ１  直流入力電圧
Ｖ２  直流出力電圧
【図１】
2019134529.tif 000003
【図２】
2019134529.tif 000004
【図３】
2019134529.tif 000005
【図４】
2019134529.tif 000006